(57)【要約】【課題】入退室する扉の経路を制限することが可能であり、使用したカードを回収できないまま持ち帰られたとしてもそのカードでは全ての扉を通行できなくしてセキュリティ性を向上させる入退出管理装置を得る。【解決手段】ＩＤ番号な毎に入退室可能な扉情報と扉毎に次に入退室可能な扉の情報とを入退室権限情報として設定するデータ設定端末１と、カードに書き込まれたＩＤ番号と次に入退室可能な扉情報とを読み取ると共に、当該カードに新たな次に入退室可能な扉の情報を書き込むカード読取書込装置２と、通行制御する扉毎に備えられてデータ設定端末１から送信される入退室権限情報を記憶すると共に、読み取ったＩＤ番号及び次に入退室可能な扉情報と記憶された入退室権限情報との照合結果に基づきカードに新たな次に入退室可能な扉の情報を書き込みと共に該当扉の電気錠３を制御する入退室管理用コントローラ４とを備えた。【選択図】        図１
2005023680.tif 000002
【特許請求の範囲】
【請求項１】
個人識別情報毎に入退室可能な扉情報と扉毎に次に入退室可能な扉の情報とを入退室権限情報として設定するデータ設定端末と、
カードに書き込まれた個人識別情報と次に入退室可能な扉情報とを読み取ると共に、当該カードに新たな次に入退室可能な扉の情報を書き込むカード読取書込装置と、
通行制御する扉毎に備えられて、ネットワークを介して前記データ設定端末から送信される入退室権限情報を記憶すると共に、前記カード読取書込装置により読み取った個人識別情報及び次に入退室可能な扉情報と記憶された入退室権限情報との照合結果に基づいて前記カードに新たな次に入退室可能な扉の情報を書き込み制御すると共に該当扉の電気錠を制御して入退室を管理する入退室管理用コントローラと
を備えた入退室管理装置。
【請求項２】
請求項１に記載の入退室管理装置において、
前記入退室管理用コントローラは、読み取った個人識別情報及び次に入退室可能な扉情報と記憶された入退室権限情報とを照合し、読み取った個人識別情報が個人識別情報毎に入退室可能な扉情報内にあって該当扉が通行可能と判断され、読み取った次に入退室可能な扉情報内に該当扉が含まれていると判断された場合に、前記カードに新たな次に入退室可能な扉の情報を書き込み制御すると共に該当扉の電気錠を解錠制御する
ことを特徴とする入退室管理装置。
【請求項３】
請求項１または２に記載の入退室管理装置において、
前記データ設定端末は、入退室権限情報の変更の都度、変更した入退室権限情報を前記入退室管理用コントローラに送信して記憶させる
ことを特徴とする入退室管理装置。
【請求項４】
請求項１ないし３のいずれか１項に記載の入退室管理装置において、
前記入退室管理用コントローラは、カードに書き込まれた入退室可能な扉の情報以外の扉の通行を不可とする
ことを特徴とする入退室管理装置。
【請求項５】
請求項１ないし４のいずれか１項に記載の入退室管理装置において、
前記入退室管理用コントローラは、次に入退室可能な扉の情報がカードに書き込まれていない場合は、すべての扉の通行を不可にする
ことを特徴とする入退室管理装置。
【請求項６】
請求項１ないし５のいずれか１項に記載の入退室管理装置において、
前記カード読取書込装置は、非接触方式による装置でなる
ことを特徴とする入退室管理装置。
【発明の詳細な説明】
【０００１】
【発明の属する技術分野】
この発明は、人の入退室を管理する入退室管理装置に関するものである。
【０００２】
【従来の技術】
扉にカード読取装置と電気錠を設け、カードのＩＤ番号によりそのカードを所持する人物が出入して良いかどうかを判断し、扉の電気錠を制御する入退室管理装置がある（特許文献１参照）。
【０００３】
この入退室管理装置では、データ設定端末において、予め個人毎あるいは１人以上の個人をまとめたグループ毎に入退室可能な扉情報、または入退室可能な扉情報と入退室可能な時間帯情報を設定しておき、入退室管理用コントローラ毎に入退室可否の判断に必要な情報をネットワークを介して送信して入退室管理用コントローラに記憶させる。
【０００４】
入室あるいは退室時に、カード読取装置よりカードのＩＤ番号を読み取り、読み取ったそのＩＤ番号と入退室管理用コントローラに記憶している入退室可能な扉情報と時間帯情報を参照して、入退室可能かどうかを判断する。入退室可能である場合には、電気錠を一時的に解錠することで入退室できるようにする。他方、入退室不可である場合には、電気錠を解錠しないことで入退室できないようにする。これにより、個人毎あるいはグループ毎に入退室可能な扉および時間帯を管理できる。
【０００５】
【特許文献１】
特開平６−１８５２４９号公報
【０００６】
【発明が解決しようとする課題】
しかしながら、上述した従来の入退出管理装置においては、入退室可能な扉を制限できるものの、入退室経路まで制限することはできないという問題があった。また、来客者などの一時的な入退室者に対して使用したカードを回収できないまま持ち帰られた場合には、そのカードを再び使用して入退室可能な扉を通行できることになり、セキュリティ性に問題があった。
【０００７】
この発明は上述した点に鑑みてなされたもので、入退室可能な扉を制限できるだけでなく、入退室する扉の経路を制限することが可能であり、来客者などの一時的な入退室者に対して使用したカードを回収できないまま持ち帰られたとしてもそのカードでは全ての扉を通行できなくしてセキュリティ性を向上させることができる入退出管理装置を得ることを目的とする。
【０００８】
【課題を解決するための手段】
前記課題を解決するために、この発明に係る入退室管理装置は、個人識別情報毎に入退室可能な扉情報と扉毎に次に入退室可能な扉の情報とを入退室権限情報として設定するデータ設定端末と、カードに書き込まれた個人識別情報と次に入退室可能な扉情報とを読み取ると共に、当該カードに新たな次に入退室可能な扉の情報を書き込むカード読取書込装置と、通行制御する扉毎に備えられて、ネットワークを介して前記データ設定端末から送信される入退室権限情報を記憶すると共に、前記カード読取書込装置により読み取った個人識別情報及び次に入退室可能な扉情報と記憶された入退室権限情報との照合結果に基づいて前記カードに新たな次に入退室可能な扉の情報を書き込み制御すると共に該当扉の電気錠を制御して入退室を管理する入退室管理用コントローラとを備えたものである。
【０００９】
【発明の実施の形態】
以下、この発明の実施の形態について図面を参照して説明する。図１は、この発明に係る入退室管理装置の全体構成を示すブロック図である。図１に示す入退室管理装置は、個人識別情報毎に入退室可能な扉情報と扉毎に次に入退室可能な扉の情報とを入退室権限情報として設定するデータ設定端末１と、通行制御する扉毎に備えられて、ネットワークを介してデータ設定端末１から送信される入退室権限情報を記憶すると共に、カード読取書込装置２により読み取った個人識別情報及び次に入退室可能な扉情報と記憶された入退室権限情報との照合結果に基づいてカードに新たな次に入退室可能な扉の情報を書き込み制御すると共に該当扉の電気錠３を制御して入退室を管理する入退室管理用コントローラ４とを備えている。図１では、扉番号「０００１」、「０００２」、「０００３」に対応して、カード読取書込装置２、電気錠３、入退室管理用コントローラ４がそれぞれ備えられている。なお、カード読取書込装置２としては、非接触方式による装置を用いることができる。
【００１０】
図２は、入退室権限情報として、入退室管理用コントローラ４に記憶されるＩＤ番号（個人識別情報）毎に入退室可能な扉情報のテーブルを示す図ある。また、図３は、入退室権限情報として、入退室管理用コントローラ４に記憶される扉毎に次に入退室可能な扉の情報のテーブルを示す図である。図２に示すテーブルの個人識別情報毎に入退室可能な扉情報では、ＩＤ番号（個人識別情報）で示される個人毎に入退室を許可する扉に対しては、通行可（○）、入退室を許可しない扉に対しては、通行不可（×）が設定されている。また、図３に示すテーブルの扉毎に次に入退室可能な扉情報では、扉毎に次に入退室可能な扉番号が設定されている。例えば扉番号「０００１」に対しては、次に通行可能な扉番号として「０００１」、「０００２」、「０００３」が設定され、これら扉番号の扉は自由に通行できるように設定される。これら２つの入退室権限情報は、データ設定端末１により設定されると共に、変更の都度、該当扉を管理する入退室管理用コントローラ４に送信されて記憶される。
【００１１】
次に、カード操作により通行を行う場合の入退室管理用コントローラ４の処理を、図４に示すフローチャートを参照して説明する。今、ＩＤ番号が“１００００１”、次に通行可能な扉番号が“０００１”のカードを持つ人が、扉番号“０００１”のカード読取書込装置２で、カード操作を行うと、カード読取書込装置２よりＩＤ番号“１００００１”と次に通行可能な扉番号“０００１”を読み取る（ステップＳ１）。入退室管理用コントローラ４は、図２に示すテーブルのＩＤ番号“１００００１”を参照して、扉番号“０００１”が通行可（○）に設定されているので、すなわち、読み取ったＩＤ番号が図２に示すテーブルの扉情報内にあって該当扉が通行可能であると判断する（ステップＳ２）。
【００１２】
次に、この扉番号“０００１”が、カードから読み取った次に通行可能な扉番号“０００１”に存在するので、通行可能であると判断する（ステップＳ３）。次に、当該カードに、図３に示すテーブル設定されている新たな次に通行可能な扉番号“０００１”、“０００２”、“０００３”を、カード読取書込装置２を用いて書き込む（ステップＳ４）。その後、電気錠３を解錠する（ステップＳ５）。これにより、ＩＤ番号“１００００１”を持つ人は、扉番号“０００１”を通行可能となる。通行後は、扉の開閉を確認し施錠する（ステップＳ６）。
【００１３】
ここで、扉番号“０００１”を通行した後は、カードに図３に示すテーブルの新たな次に通行可能な扉の扉番号“０００１”、“０００２”、“０００３”が書き込まれているので、入退出管理用コントローラ４は、これら扉番号以外の扉の通行を不可とし通行できないようになる。また、扉番号“０００１”の後に、扉番号“０００３”を通行した場合、図３に示すテーブルには扉番号“０００３”の次に通行可能な経路の扉番号が設定されてなくカードには書き込まれないため、入退出管理用コントローラ４は、すべての扉を通行できないようにする。
【００１４】
従って、上記実施の形態によれば、従来のように入退室可能な扉を制限できるだけでなく、次に通行可能な経路の扉を制限することが可能となる。また、最後に退出する扉において、次に通行可能な扉情報を設定しないことにより、来客など一時的な入退室者に対して使用したカードを回収できないまま持ち帰られたとしても、そのカードでは全ての扉を通行できないため、セキュリティ性を向上させることができる。
【００１５】
【発明の効果】
以上のように、この発明によれば、従来のように入退室可能な扉を制限できるだけでなく、入退室する扉の経路を制限することが可能となると共に、最後に退出する扉において、次に通行可能な扉情報を設定しないことにより、来客など一時的な入退室者に対して使用したカードを回収できないまま持ち帰られたとしても、そのカードでは全ての扉を通行できないため、セキュリティ性を向上させることができる。
【図面の簡単な説明】
【図１】この発明に係る入退室管理装置の全体構成を示すブロック図である。
【図２】入退室権限情報として、入退室管理用コントローラ４に記憶されるＩＤ番号（個人識別情報）毎に入退室可能な扉情報のテーブルを示す図ある。
【図３】入退室権限情報として、入退室管理用コントローラ４に記憶される扉番号毎に次に入退室可能な扉情報のテーブルを示す図ある。
【図４】入退室管理用コントローラ４の処理内容を説明するフローチャートである。
【符号の説明】
１  データ設定端末、２  カード読取書込装置、３  電気錠、４  入退室管理用コントローラ。
【図１】
2005023680.tif 000003
【図２】
2005023680.tif 000004
【図３】
2005023680.tif 000005
【図４】
2005023680.tif 000006